(57)【要約】【課題】  アンテナからの入力信号にレベルによる伝送装置の出力飽和や歪み状態の確認が容易であり、しかも、電波暗室等の設備内での電界計測を計測機器自体からのノイズで妨げることが無い電界計測装置を提供すること。【解決手段】  アンテナの出力信号の強度が所定のレベルを超えたか否かを検出する信号強度検出器（ＲＦ検出器，レベル検出回路）と、該信号強度検出器の検出結果に基づき検出結果信号を発生する信号発生器と、ＭＺ型変調器とを電波暗室内に配置されるヘッド部２に設ける。そして、アンテナの出力信号に該検出結果信号を合波してＭＺ型変調器を駆動し、電波暗室外のコントローラ部６に設けたモニタＰＤとモニタ検出回路で、該検出結果信号を検出し、その検出結果を表示装置に表示する。【選択図】図２
2011174709.tif 000002
【特許請求の範囲】
【請求項１】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、
該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出し、
該ＤＣバイアス制御部からＤＣバイアス電圧を該光強度変調器に給電線で供給することを特徴とする電界計測装置。
【請求項２】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、
該エリア外には、光源部と、該光強度変調器からの出力光を受光する第２の受光部と、該第２の受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出することを特徴とする電界計測装置。
【請求項３】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、
該エリア外には、光源部と、該光強度変調器からの出力光を受光する第２の受光部と、該第２の受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出することを特徴とする電界計測装置。
【請求項４】
請求項１乃至３のいずれかに記載の電界計測装置において、該検出結果信号は３０ＭＨｚ未満の周波数であることを特徴とする電界計測装置。
【請求項５】
請求項１乃至４のいずれかに記載の電界計測装置において、該信号強度検出器の結果に基づき、該アンテナの出力信号の強度を減衰する減衰器を有することを特徴とする電界計測装置。
【請求項６】
請求項１乃至４のいずれかに記載の電界計測装置において、該信号強度検出器の結果に基づき、該ＲＦ増幅器の出力を制御するＲＦ増幅制御部を有することを特徴とする電界計測装置。
【発明の詳細な説明】
【技術分野】
【０００１】
本発明は、電界計測装置に関し、特に、電子機器などの放射電磁波ノイズ測定、電波暗室などの電磁波測定設備評価、アンテナ評価などの、電磁界計測分野のためのアナログ光伝送技術などに利用される電界計測装置に関する。
【背景技術】
【０００２】
放射電磁波ノイズなどの測定は、電波暗室等の設備を利用して測定対象外の電磁波が抑制された測定環境で行われている。このため暗室内の受信アンテナで受信した信号は、隣接する測定室に伝送され、そこに設置された測定器で計測が行われる。
【０００３】
近年電子機器の高速化に伴い電磁波ノイズが高周波化し、１ＧＨｚ超、場合によっては１０ＧＨｚ超の周波数で評価する必要がでてきている。本出願人は特許文献１において、マッハツェンダー型光導波路を有する光変調器や光ファイバなどの光ファイバ伝送装置を利用して、受信アンテナで受信した信号を光伝送する方法を提案した。
【０００４】
さらに、計測の行われる装置の放出するノイズレベルは予想外のレベルの場合も多く、また同一の設備を用いて様々な測定が行われる。そのため、伝送する信号レベルのレンジは非常に大きく数十ｄＢの強度差がある場合もある。
【０００５】
光ファイバ伝送装置には、増幅器や光変調器などの入力レベルにより出力に飽和あるいは歪を生じる部品が用いられているために、伝送装置への入力に注意する必要がある。そこで従来は測定のたびに、信号のレベルに起因する飽和や歪がないか、測定器の測定結果を確認しながら、アンテナからの信号を伝送装置に入力する入力部に、適切な減衰器を設置して測定を行っていた。
【０００６】
このような過大な入力信号レベルによる伝送装置の出力飽和や歪みの確認作業は大変煩雑であり、場合によっては飽和や歪みが見落とされて不確かな測定が行われる恐れもあった。
【先行技術文献】
【特許文献】
【０００７】
【特許文献１】特願２００８−３０３１０６号（出願日：２００８年１１月２７日）
【発明の概要】
【発明が解決しようとする課題】
【０００８】
本発明が解決しようとする課題は、上述したような問題を解決し、アンテナからの入力信号レベルによる伝送装置の出力飽和や歪み状態の確認が容易であり、しかも、電波暗室等の設備内での電界計測を計測機器自体からのノイズで妨げることが無い電界計測装置を提供することである。
【課題を解決するための手段】
【０００９】
上記課題を解決するため、請求項１に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出し、該ＤＣバイアス制御部からＤＣバイアス電圧を該光強度変調器に給電線で供給することを特徴とする。
【００１０】
請求項２に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出することを特徴とする。
【００１１】
請求項３に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出することを特徴とする。
【００１２】
請求項４に係る発明は、請求項１乃至３のいずれかに記載の電界計測装置において、該検出結果信号は３０ＭＨｚ未満の周波数であることを特徴とする。
【００１３】
請求項５に係る発明は、請求項１乃至４のいずれかに記載の電界計測装置において、該信号強度検出器の結果に基づき、該アンテナの出力信号の強度を減衰する減衰器を有することを特徴とする。
【００１４】
請求項６に係る発明は、請求項１乃至４のいずれかに記載の電界計測装置において、該信号強度検出器の結果に基づき、該ＲＦ増幅器の出力を制御するＲＦ増幅制御部を有することを特徴とする。
【発明の効果】
【００１５】
請求項１に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出し、該ＤＣバイアス制御部からＤＣバイアス電圧を該光強度変調器に給電線で供給するため、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部、ＤＣバイアス制御部等の部材で構成）へ入力レベルの警告通信を行い、これを受信したコントローラ部は入力信号レベルの警告表示を行うことが可能となる。
【００１６】
しかも、入力信号レベルを検出した検出結果信号の伝送も、アンテナの出力信号であるＲＦ信号の光伝送系と共用することができ、大きな構成要素の追加もなく、また光伝送を用いるために周囲の電磁界を乱すこともない。
【００１７】
請求項２に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出するため、請求項１に係る発明と同様に、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部等の部材で構成）へ入力レベルの警告通信を行い、これを受信したコントローラ部は入力信号レベルの警告表示を行うことが可能となる。
【００１８】
さらに、入力信号レベルを検出した検出結果信号の伝送も、アンテナの出力信号であるＲＦ信号の光伝送系と共用することができ、大きな構成要素の追加もなく、また光伝送を用いるために周囲の電磁界を乱すこともない。特に、ＲＦ増幅器、信号強度検出器、信号発生器、第１の受光部及びＤＣバイアス制御部の内、少なくとも一つを駆動するためのバッテリーをエリア内に配置することで、エリア外からの給電線を省略することが可能となり、エリア内外を光ファイバのみで連結することも可能となる。
【００１９】
請求項３に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出するため、請求項１又は２に係る発明と同様に、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部等の部材で構成）へ入力レベルの警告通信を行い、これを受信したコントローラ部は入力信号レベルの警告表示を行うことが可能となる。
【００２０】
さらに、入力信号レベルを検出した検出結果信号の伝送も、アンテナの出力信号であるＲＦ信号の光伝送系と共用することができ、大きな構成要素の追加もなく、また光伝送を用いるために周囲の電磁界を乱すこともない。特に、ＲＦ増幅器、信号強度検出器、信号発生器、第１の受光部及びＤＣバイアス制御部の内、少なくとも一つを駆動するためのバッテリーをエリア内に配置することで、エリア外からの給電線を省略することが可能となり、エリア内外を光ファイバのみで連結することも可能となる。さらに、第１の受光部が光強度変調器に内蔵されているため、エリア内に配置されるヘッド部をよりコンパクトに構成できると共に、光強度変調器からの出力光の一部を分岐する構成も不要となり、出力光の損失を抑制することも可能となる。
【００２１】
請求項４に係る発明により、検出結果信号は３０ＭＨｚ未満の周波数であるため、計測される放射電磁波ノイズ（３０ＭＨｚ以上）の帯域外の周波数で光変調することにより、アンテナが受信した電磁波ノイズと検出結果信号とが混信することが抑制でき、コントローラ部への信号伝達をより正確に行うことが可能となる。
【００２２】
請求項５に係る発明により、信号強度検出器の結果に基づき、アンテナの出力信号の強度を減衰する減衰器を有するため、ＲＦ増幅器や光変調器に入るアンテナの出力信号の強度が自動的に調整され、伝送装置の出力飽和や歪みを抑制することも可能となる。
【００２３】
請求項６に係る発明により、信号強度検出器の結果に基づき、ＲＦ増幅器の出力を制御するＲＦ増幅制御部を有するため、光変調器に入るアンテナの出力信号の強度が自動的に調整され、伝送装置の出力飽和や歪みを抑制することも可能となる。
【図面の簡単な説明】
【００２４】
【図１】本発明に係る電界計測装置を示す概略図である。
【図２】図１のヘッド部２とコントローラ部６との構成を示す図である。
【図３】図１のヘッド部２とコントローラ部６との構成の応用例を示す図である。
【図４】図１のヘッド部に、第１の受光部とＤＣバイアス制御部とを組み込む例を示す図である。
【発明を実施するための形態】
【００２５】
以下、本発明を好適例を用いて詳細に説明する。
図１は、本発明に係る電界計測装置の概略を示す図である。電波暗室１０などの電磁波を検出するエリア内に設定された被測定装置（ＥＵＴ）８から発生する電磁波（波線矢印）の電界強度を測定する。符号９は、ターンテーブルなどの被測定装置を載置する載置台である。
【００２６】
本発明における「電磁波を検出するエリア」とは、電波暗室に限定されず、オープンサイトなど、被測定装置が発生する電磁波を検出するために、該被測定装置が設置されている空間を意味する。
また、「電磁波を検出するエリア」の外とは、被測定装置が発生する電磁波を計測する際に障害とならない領域を意味し、電波暗室の外部や、被測定装置から十分離れた場所、さらには、後述する測定室のように、本体部や測定器が収納され、機器から発生する電磁波が「電磁波を検出するエリア」に漏出することを遮断した空間であっても良い。
以下では、電波暗室及び測定室を例に説明する。
【００２７】
電波暗室１０内には、アンテナ１と、マッハツェンダー型光導波路を有する光強度変調器が組み込まれたヘッド部２とが配置されている。アンテナ１の出力信号は、特許文献１と同様に、光強度変調器の変調電極に印加され、マッハツェンダー型光導波路の屈折率を変化させる。この屈折率変化により、同光導波路を伝搬する光波の位相が変調され、マッハツェンダー型光導波路から出射する光波の光強度が変調される。符号３は、アンテナ１を所定の位置に配置する、アンテナ位置決め手段である。
【００２８】
光強度変調器は、電気光学効果を有する基板に光導波路及び変調電極を形成した進行波型光変調器が好適に利用可能である。電気光学効果を有する基板としては、例えば、ニオブ酸リチウム、タンタル酸リチウム、ＰＬＺＴ（ジルコン酸チタン酸鉛ランタン）、及び石英系の材料などが利用することが可能である。マッハツェンダー型の光導波路は、Ｔｉなどを熱拡散法やプロトン交換法などで基板表面に拡散させたり、リッジ型の凸部を形成することにより、電気光学効果を有する基板上に形成できる。変調電極は、アンテナからの出力信号を印加する信号電極や接地電極から構成され、基板上に、Ｔｉ・Ａｕの電極パターンの形成及び金メッキ方法などにより形成することが可能である。さらに、必要に応じて光導波路形成後の基板表面に誘電体ＳｉＯ２等のバッファ層を設け、光導波路の上側に形成した電極による光波の吸収や散乱を抑制することも可能である。
【００２９】
光強度変調器のバイアス点の調整方法としては、上述した変調電極に、アンテナからの出力電圧にＤＣバイアス電圧を重畳して印加することにより、光強度変調器のバイアス点を調整することが可能である。また、変調電極以外にバイアス点制御用の電極を別途組込み、このような電極にＤＣバイアス電圧を印加するように構成することも可能である。
【００３０】
電波暗室１０の外部には、測定室１１が隣接され、該測定室１１内には、ヘッド部２をコントロールする計測装置のコントローラ部６及び、ＥＭＩレシーバーなどの測定器７が設置されている。ヘッド部２とコントローラ部６とは光ファイバや給電線などの複合線で接合されている。符号５は、給電線に設けられた交流信号遮断用のローパスフィルタであり、コントローラ部６からヘッド部にＤＣバイアス電圧などを給電する際に、交流信号が電波暗室内に入り込まないよう構成されている。
【００３１】
図２は、ヘッド部２及びコントローラ部６における構成を、より詳細に説明する図である。
ヘッド部２には、受信アンテナからの出力信号（３０ＭＨｚ以上）を導入し、ＲＦ分配器により出力信号がアンプとＲＦ検出器に分配される。アンプは、アンテナの出力信号を増幅するＲＦ増幅器である。また、ＲＦ検出器は、該出力信号の強度を検出し、その検出信号をレベル検出回路に導入することで、該出力信号の強度が所定のレベルを超えたか否かを検出している。ＲＦ検出器とレベル検出回路とが組み合わさり、信号強度検出器を構成している。該信号強度検出器の検出結果に基づき検出結果信号を発生する信号発生器が設けられている。例えば、信号発生器では、光変調器がひずみを起こすある一定のレベルを超えている場合には、受信アンテナからの出力信号の帯域外の低周波信号（２０ＭＨｚ未満）で強度変調を行う。
【００３２】
該ＲＦ増幅器であるアンプからの出力信号と、該信号発生器からの検出結果信号と、さらに、後述するＤＣバイアス制御回路からのＤＣバイアス電圧とが合波される。合波器は、図中に符号＋で表示している。該合波器の出力信号に基づいて光変調を行うマッハツェンダー型光導波路を有する光強度変調器（ＭＺ型変調器）とが配置されている。
【００３３】
コントローラ部６には、光源部である半導体レーザ（ＬＤ）や該半導体レーザを駆動する制御回路であるＬＤ制御回路が設けられ、半導体レーザからは一定レベルの連続（ＣＷ）光が出力され、光ファイバを伝送してヘッド部２のＭＺ型変調器に入力される。
【００３４】
また、コントローラ部６には、光強度変調器であるＭＺ型変調器からの出力光を受光する受光部（高速ＰＤ，モニタＰＤ）が設けられている。受光部は、図２では、２つの受光素子（ＰＤ）から構成されているが、一つのＰＤで構成し、当該ＰＤからの出力信号を３０ＭＨｚ以上の高周波信号と、３０ＭＨｚ未満の低周波信号とに分離することも可能である。
【００３５】
高速ＰＤでは、アンテナの出力信号に相当する３０ＭＨｚ以上の信号を検出し、高周波通過フィルタ（ＨＰＦ）を通過した信号を、アンプで増幅し、測定器７に導入する。
【００３６】
モニタＰＤの信号は、３０ＭＨｚ未満の低周波信号を出力し、Ｂｉａｓ−Ｔ等の分岐素子で２分岐された後、ＤＣバイアス制御回路及びモニタ検出回路へそれぞれ出力される。なお、この際に、ＤＣバイアス制御回路の前段には光変調器のＤＣバイアス制御に関する信号を透過する特定周波数帯の透過フィルタ、モニタ検出回路の前段には信号発生器が発生させた検出結果信号を透過する他の特定周波数帯の透過フィルタを挿入するとよい。また、これらの透過フィルタは、ＤＣバイアス制御回路やモニタ検出回路内に内蔵することも可能である。
【００３７】
ＤＣバイアス制御部となるバイアス制御回路では、受光部であるモニタＰＤからの出力信号の強度変化に基づき光強度変調器に供給するＤＣバイアス電圧が制御される。ＤＣバイアス制御部は、給電線を介してＤＣバイアス電圧を光強度変調器に供給する。
【００３８】
光強度変調器の駆動電圧−光強度出力との関係曲線（Ｖπ変調曲線）は、正弦関数となるため、通常、最大光強度の１／２点がバイアス点調整の中心となる。当然、バイアスの中心点は、このような１／２点に限らず、モニタＰＤのショットノイズとの兼ね合いで、１／２点より低い強度レベルを採用することも可能である。
【００３９】
電界計測を行なう前には、必要に応じて、バイアス点調整が行なわれ、具体的には、光源部のＬＤから光波を光強度変調器に導入し、該光強度変調器に印加するバイアス電圧を掃引し、モニタ光の出力レベルが最高となる値を計測し、例えば、該最高値の１／２の値を示すバイアス電圧を見出す。
【００４０】
このように、バイアス点を調整した場合、従来の光変調器のバイアス点制御で多用されている低周波信号などの交流信号が不要となり、電波暗室内でのノイズ放射をより一層抑制することが可能となる。勿論、低周波信号などの交流信号を重畳してバイアス点を制御することも可能であるが、この場合はＤＣバイアス制御回路用の信号と、モニタ検出回路用の信号とは、予め周波数を異なるように設定することが好ましい。
【００４１】
受光部であるモニタＰＤからの出力信号から、信号発生器が発生した検出結果信号を、モニタ検出回路により検出する。例えば、受信アンテナからの出力信号が所定のレベルを超えている場合に発生させた低周波信号（３０ＭＨｚ未満）を検知し、当該検出結果に基づき、表示装置に過入力状態を表示する。
【００４２】
次に、図３に示すように、ＲＦ増幅器や光変調器に入るアンテナの出力信号の強度を自動的に調整し、伝送装置の出力飽和や歪みを抑制する方法について説明する。
【００４３】
受信アンテナとＲＦ分配器との間、又は図３のようにＲＦ分配器とアンプとの間に、受信アンテナの出力信号の強度を減衰する可変減衰器を配置する。そして、図２と同様に、ＲＦ検出器及びレベル検出回路から構成される信号強度検出器の結果に基づき、受信アンテナの出力信号の強度が所定レベルを超える際には、当該可変減衰器を制御し、ＲＦ増幅器や光強度変調器に入力される信号レベルを調整することが可能である。
【００４４】
また、ＲＦ増幅制御部として、当該信号強度検出器の結果に基づき、ＲＦ増幅器の出力を制御する構成を設け、可変減衰器を省略することも可能である。
【００４５】
上述のようにアンテナの出力信号の強度が自動的に調整された場合、コントローラ部に接続された測定器への出力信号レベルが変化することとなり、測定器側ではその変化が自動調整によるものか、受信電磁波そのもののレベルが下がったのか判別が困難となる。このような不具合を解消するため、可変減衰器やＲＦ増幅器で信号出力を調整した場合には、その調整レベルを示す信号も併せて、信号発生器から検出結果信号の一部として出力し、コントローラ部に送信することも可能である。コントローラ部では、検出結果信号の内、調整レベルに係る信号を抽出し、測定器の出力信号レベルのキャリブレーション等を行うことも可能である。
【００４６】
さらに、図４に示すように、ヘッド部２に、第１の受光部として受光素子（ＰＤ）と、ＤＣバイアス制御部としてバイアス制御回路、さらには、ヘッド内の各種部品に給電し駆動するための電源としてバッテリーを組み込むことも可能である。当該バッテリーは、ＲＦ増幅器であるアンプ、信号強度検出器を構成するＲＦ検出器やレベル検出回路、信号発生器、さらには、第１の受光部やＤＣバイアス制御部の内、少なくとも一つを駆動している。
【００４７】
図４のように、ＤＣバイアス制御関係の部品をヘッド部に組み込むと共に、ヘッド部内の各種部品を駆動する電源もヘッド部内に配置することで、ヘッド部２とコノトローラ部６との間は、光ファイバのみの接続となるため、よりシンプルな構成とすることができ、各種部材の取り扱いも容易となる。
【００４８】
図４では、ＭＺ型変調器からの出力光の一部を分岐部により分岐させ、第１の受光部である受光素子（ＰＤ）に入力している。第１の受光部からの信号は、バイアス制御回路に入力され、上述した図２又は３の実施例と同様に、ＭＺ型変調器のＤＣバイアスを制御するのに利用される。
【００４９】
また、ＭＺ型変調器は、金属製の筐体内に収容されたモジュール構造を有している。このため、図４で示す第１の受光部を、光強度変調器であるＭＺ型変調器の内部に組み込み、同じ筐体内に収容することも可能である。変調器の一部に配置された受光部は、例えば、マッハツェンダー型導波路の合波部からの放射モード光をモニタするよう構成したり、光導波路を伝搬する光波のエバネッセント光をモニタするなど、各種の構成や配置を採用することが可能である。受光部を変調器のモジュールの内部に内蔵することにより、ヘッド部のサイズを小さくすることができると共に、周辺に電磁波を発生することを抑制し、より高精度の測定が可能となる。
【産業上の利用可能性】
【００５０】
以上説明したように、本発明によれば、アンテナからの入力信号にレベルによる伝送装置の出力飽和や歪み状態の確認が容易であり、しかも、電波暗室等の設備内での電界計測を計測機器自体からのノイズで妨げることが無い電界計測装置を提供することが可能となる。
【符号の説明】
【００５１】
１  アンテナ
２  ヘッド部
４  複合線路（光ファイバと給電線）
５  ローパスフィルタ
６  コントローラ部
７  測定器
８  被測定装置
【図１】
2011174709.tif 000003
【図２】
2011174709.tif 000004
【図３】
2011174709.tif 000005
【図４】
2011174709.tif 000006
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、該検出結果信号の周波数は該被測定装置から発生する該電磁波の帯域外の周波数であり、
該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出し、
該ＤＣバイアス制御部からＤＣバイアス電圧を該光強度変調器に給電線で供給することを特徴とする電界計測装置。
【請求項２】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、
該エリア外には、光源部と、該光強度変調器からの出力光を受光する第２の受光部と、該第２の受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出することを特徴とする電界計測装置。
【請求項３】
電磁波を検出するエリア内に設置された被測定装置から発生する電磁波の電界強度を測定する電界計測装置において、
該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、
該エリア外には、光源部と、該光強度変調器からの出力光を受光する第２の受光部と、該第２の受光部からの出力信号から該検出結果信号に基づく信号を検出し、その検出結果を表示する表示器とが配置され、
該光源部から光波を該光強度変調器に光ファイバによって導入し、
該光強度変調器から光波を該受光部に光ファイバによって導出することを特徴とする電界計測装置。
【請求項４】
請求項１乃至３のいずれかに記載の電界計測装置において、該検出結果信号は３０ＭＨｚ未満の周波数であることを特徴とする電界計測装置。
【請求項５】
請求項１乃至４のいずれかに記載の電界計測装置において、該信号強度検出器の結果に基づき、該アンテナの出力信号の強度を減衰する減衰器を有することを特徴とする電界計測装置。
【請求項６】
請求項１乃至４のいずれかに記載の電界計測装置において、該信号強度検出器の結果に基づき、該ＲＦ増幅器の出力を制御するＲＦ増幅制御部を有することを特徴とする電界計測装置。
【手続補正２】
【補正対象書類名】明細書
【補正対象項目名】０００９
【補正方法】変更
【補正の内容】
【０００９】
上記課題を解決するため、請求項１に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、該検出結果信号の周波数は該被測定装置から発生する該電磁波の帯域外の周波数であり、該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出し、該ＤＣバイアス制御部からＤＣバイアス電圧を該光強度変調器に給電線で供給することを特徴とする。
【手続補正３】
【補正対象書類名】明細書
【補正対象項目名】００１０
【補正方法】変更
【補正の内容】
【００１０】
請求項２に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出することを特徴とする。
【手続補正４】
【補正対象書類名】明細書
【補正対象項目名】００１１
【補正方法】変更
【補正の内容】
【００１１】
請求項３に係る発明は、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出することを特徴とする。
【手続補正５】
【補正対象書類名】明細書
【補正対象項目名】００１５
【補正方法】変更
【補正の内容】
【００１５】
請求項１に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器とが配置され、該検出結果信号の周波数は該被測定装置から発生する該電磁波の帯域外の周波数であり、該エリア外には、光源部と、該光強度変調器からの出力光を受光する受光部と、該受光部からの出力信号の強度変化に基づき該光強度変調器に供給するＤＣバイアス電圧を制御するＤＣバイアス制御部と、該受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出し、該ＤＣバイアス制御部からＤＣバイアス電圧を該光強度変調器に給電線で供給するため、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部、ＤＣバイアス制御部等の部材で構成）へ入力レベルの警告通信を行い、これを受信したコントローラ部は入力信号レベルの警告表示を行うことが可能となる。
【手続補正６】
【補正対象書類名】明細書
【補正対象項目名】００１７
【補正方法】変更
【補正の内容】
【００１７】
請求項２に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器からの出力光の一部を分岐する分岐部と、前記分岐部で分岐された分岐光を受光する第１の受光部と、該第１の受光部からの出力信号の強度変化に基づき該光強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出するため、請求項１に係る発明と同様に、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部等の部材で構成）へ入力レベルの警告通信を行い、これを受信したコントローラ部は入力信号レベルの警告表示を行うことが可能となる。
【手続補正７】
【補正対象書類名】明細書
【補正対象項目名】００１９
【補正方法】変更
【補正の内容】
【００１９】
請求項３に係る発明により、電磁波を検出するエリア内に設置された被測定装置から発生する電磁波の電界強度を測定する電界計測装置において、該エリア内には、アンテナと、該アンテナの出力信号を増幅するＲＦ増幅器と、該出力信号の強度が所定のレベルを超えたか否かを検出する信号強度検出器と、該信号強度検出器の検出結果に基づき検出結果信号を発生する信号発生器と、該ＲＦ増幅器からの出力信号と該検出結果信号とＤＣバイアス電圧とを合波する合波器と、該合波器の出力信号に基づいて光変調を行うマッハツェンダー型光導波路を有する光強度変調器と、該光強度変調器に内蔵され、該光強度変調器の出力光強度をモニタする第１の受光部と、該第１の受光部からの出力信号の強度変化に基づき該強度変調器に供給するＤＣバイアス電圧を制御するＤＣバイアス制御部と、該ＲＦ増幅器、該信号強度検出器、該信号発生器、該第１の受光部及び該ＤＣバイアス制御部の内、少なくとも一つを駆動するためのバッテリーが配置され、該検出結果信号の周波数は該被測定装置から発生する該電磁波の帯域外の周波数であり、該エリア外には、光源部と、該光強度変調器からの出力光を受光する第２の受光部と、該第２の受光部からの出力信号から該検出結果信号に基づく信号を検出し、その検出結果を表示する表示器とが配置され、該光源部から光波を該光強度変調器に光ファイバによって導入し、該光強度変調器から光波を該受光部に光ファイバによって導出するため、請求項１又は２に係る発明と同様に、アンテナからの過大な入力信号レベルによるＲＦ増幅器や光変調器など伝送装置の出力飽和や歪みが、簡便に検出できる。しかも、エリア内に設置されたヘッド部（アンテナを除く光変調器等の部材で構成）でアンテナからの信号レベルを測定し、ある基準を超えた信号レベルの場合には、エリア外に配置されたコントローラ部（エリア外に配置された光源部、受光部等の部材で構成）へ入力レベルの警告通信を行い、これを受信したコントローラ部は入力信号レベルの警告表示を行うことが可能となる。